(57)【要約】【課題】出力色に混在する少量の色成分を除去し、高品質の出力を得ることのできる画像処理方法、画像処理装置および画像処理プログラムを提供する。【解決手段】本発明は、画像の色空間を変換する画像処理方法、画像処理装置および画像処理プログラムにおいて、入力画像の色空間を例えばＹＭＣＫデータに変換するとともに、その変換後の画像に含まれる所定量以下の色成分の少なくとも一部を除去し、除去されずに残った色成分の少なくとも一部に補正を施す後段色変換部６を備えている。【選択図】        図１
2004289201.tif 000002
【特許請求の範囲】
【請求項１】
画像の色空間を変換する画像処理方法において、
入力画像の色空間を変換するとともに、その変換後の画像に含まれる所定量以下の色成分の少なくとも一部を除去し、除去されずに残った色成分の少なくとも一部に補正を施す
ことを特徴とする画像処理方法。
【請求項２】
前記除去されずに残った色成分の少なくとも一部に補正を施す際には、前記入力画像の色空間の画像に含まれる色成分に応じて補正を施す
ことを特徴とする請求項１記載の画像処理方法。
【請求項３】
前記除去されずに残った色成分の少なくとも一部に補正を施す際には、前記入力画像の色空間の画像に含まれる色成分で示される色に最も近く、かつ前記変換後の画像を構成する色成分のうち一つで再現できる値にする
ことを特徴とする請求項１記載の画像処理方法。
【請求項４】
画像の色空間を変換する画像処理装置において、
第１の色空間で表現される画像を第２の色空間で表現される画像に変換するとともに、その変換後の第２の色空間で表現される画像の色成分のうち所定量以下の色成分の少なくとも一部を除去し、除去されずに残った色成分の少なくとも一部を補正して出力する色変換手段を備える
ことを特徴とする画像処理装置。
【請求項５】
前記色変換手段は、前記第１の色空間で表現される画像を前記第２の色空間で表現される画像に変換する色空間変換手段と、
前記色空間変換手段で変換された前記第２の色空間で表現される画像の色成分のうち所定量以下の色成分の少なくとも一部を除去する色成分除去手段と、
前記色成分除去手段で除去されずに残った色成分の少なくとも一部を補正する色成分補正手段とを備える
ことを特徴とする請求項４記載の画像処理装置。
【請求項６】
第１の色空間で表現される画像を所定の色情報源に基づき第２の色空間で表現される第１の画像に変換するステップと、
前記第２の色空間で表現される第１の画像の色成分のうち所定量以下の色成分の少なくとも一部を除去して前記第２の色空間で表現される第２の画像を生成するステップと、
前記第２の色空間で表現される第２の画像の色成分のうち除去されずに残った色成分の少なくとも一部を補正して前記第２の色空間で表現される第３の画像を生成するステップと
を備えることを特徴とする画像処理プログラム。
【請求項７】
前記第２の色空間で表現される第３の画像を生成するステップでは、前記第１の色空間で表現される画像に含まれる色成分で示される色に最も近く、かつ前記第２の色空間における色成分のうち一つで再現できる値にする
ことを特徴とする請求項６記載の画像処理プログラム。
【発明の詳細な説明】
【０００１】
【発明の属する技術分野】
本発明は、画像処理方法、画像処理装置および画像処理プログラムに関し、特に、画像中の単色部分への混色を防止するものに関する。
【０００２】
【従来の技術】
一般に、カラー複写機は、特許文献１に記載の「カラー画像処理装置」のように、画像を読み取って得たＲＧＢ（Ｒｅｄ，Ｇｒｅｅｎ，Ｂｌｕｅ）の色空間で表現される画像データをデバイスに依存しないＬａｂの色空間で表現される画像データに変換する。そして、Ｌａｂの色空間で表現される画像データに各種の画像処理を加えた後に、ＹＭＣＫ（Ｙｅｌｌｏｗ，Ｍａｇｅｎｔａ，Ｃｙａｎ，Ｂｌａｃｋ）の色空間で表現される画像データに変換し、ＹＭＣＫ各色のトナー等の色材を用いて画像を形成している。
【０００３】
ＹＭＣＫの色空間での色再現は、減法混色により行い、図１３に示すように、ＹとＭの同量混合でＲ、ＹとＣの同量混合でＧ、ＭとＣの同量混合でＢ、ＹとＭとＣの同量混合でＫが生成されることとなる。
【０００４】
ところで、従来のカラー複写機では、本来ならば、Ｙ、Ｍ、Ｃ、Ｋのいずれかのトナーのみで表現できる色（Ｙ、Ｍ、Ｃ、Ｋ）や２色程度のトナーで表現できる色（Ｒ、Ｇ、Ｂ）に対して、他のトナーが混在される場合がある。
【０００５】
例えば、複写しようとする原稿が図１４に示すようなＲ、Ｋ、Ｙ、Ｃ、Ｍ、Ｇ、Ｂの各色で表現される円グラフが印刷されたものである場合、複写後の出力は、理想的には図１５（ａ）に示すような値となるが、現状は、同図（ｂ）に示すような出力となり、混色が生じている。
【０００６】
【特許文献１】
特開平８−９１７２号公報
【０００７】
【発明が解決しようとする課題】
上述したように、従来の複写機では、その出力に理想的には混在し得ない他の色が少量混在することがあった。この他色の混在は、出力画像の混色の原因となり、特に、Ｙ、Ｍ、Ｃ、Ｋの各色を２値出力する場合には、混在した少量の他色がまばらに再現され、混色が目立つこととなっていた。
【０００８】
そこで、この発明は、出力色に混在する少量の色成分を除去し、高品質の出力を得ることのできる画像処理方法および装置を提供することを目的とする。
【０００９】
【課題を解決するための手段】
すなわち、本発明は、画像の色空間を変換する画像処理方法において、入力画像の色空間を変換するとともに、その変換後の画像に含まれる所定量以下の色成分の少なくとも一部を除去し、除去されずに残った色成分の少なくとも一部に補正を施すことを特徴とする。
【００１０】
また、画像の色空間を変換する画像処理装置においては、第１の色空間で表現される画像を第２の色空間で表現される画像に変換するとともに、その変換後の第２の色空間で表現される画像の色成分のうち所定量以下の色成分の少なくとも一部を除去し、除去されずに残った色成分の少なくとも一部を補正して出力する色変換手段を備えることを特徴とする。
【００１１】
また、第１の色空間で表現される画像を所定の色情報源に基づき第２の色空間で表現される第１の画像に変換するステップと、第２の色空間で表現される第１の画像の色成分のうち所定量以下の色成分の少なくとも一部を除去して第２の色空間で表現される第２の画像を生成するステップと、第２の色空間で表現される第２の画像の色成分のうち除去されずに残った色成分の少なくとも一部を補正して第２の色空間で表現される第３の画像を生成するステップとを備える画像処理プログラムでもある。
【００１２】
このような本発明では、入力画像の色空間を変換するとともに、その変換後の画像に含まれる所定量以下の色成分の少なくとも一部を除去し、除去されずに残った色成分の少なくとも一部に補正を施すことで、入力画像を単色で表す場合の混色除去を行うことができるとともに、混色除去により発生する彩度低下や色変わりを抑制できるようになる。
【００１３】
【発明の実施の形態】
以下、この発明に係る画像処理方法および装置の一実施の形態について、添付図面を参照して詳細に説明する。
【００１４】
図１は、この発明を適用した画像形成装置の概略構成を示すブロック図である。同図に示すように、画像形成装置は、画像入力装置１と画像処理装置２、画像出力装置３を具備して構成される。
【００１５】
画像入力装置１は、原稿を読み取ってＲＧＢの色空間で表現される画像データを出力する。画像処理装置２は、画像入力装置１から入力された画像データに対して各種の画像処理を施し、ＹＭＣＫの色空間で表現される画像データを画像出力装置３に出力する。画像出力装置３は、画像処理装置２から入力された画像データに基づいて、用紙上に画像を形成する。
【００１６】
なお、本実施形態においては、画像出力装置３で取り扱う信号の色空間（例えば、ＹＭＣＫ）を第２の色空間、第２の色空間への変換前の色空間（例えば、ＲＧＢやＬ＊、ａ＊、ｂ＊）を第１の色空間とする。
【００１７】
この画像形成装置では、画像処理装置２が混色除去の処理を行う。画像処理装置２は、前段色変換部４と画像処理部５、後段色変換部６を具備して構成される。前段色変換部４は、画像入力装置１から入力される画像データの色空間をＲＧＢからＬａｂ（Ｌ＊、ａ＊、ｂ＊）に変換する。
【００１８】
画像処理部５は、Ｌａｂの色空間で表現される画像データに対して各種の補正や変倍等の処理を施す。後段色変換部６は、Ｌａｂの色空間で表現される画像データをＹＭＣＫの色空間で表現される画像データに変換するが、この変換に際して画像データ中の混色を除去する。
【００１９】
ここで、画像データ中に混色が生じる原因について説明する。画像入力装置１が出力するＲＧＢの色空間と画像出力装置３へ入力するＹＭＣＫの色空間では、それぞれ表現できる色の範囲（Ｇａｍｕｔ）が異なっている。それぞれのＧａｍｕｔは、例えば、図２に示すようなものである。
【００２０】
このため、ＲＧＢの色空間で表現される画像データをＹＭＣＫの色空間で表現される画像データに変換する際に、ＹＭＣＫの色空間のＧａｍｕｔ外の色は、色差最小法によりＲＧＢの色空間とＹＭＣＫの色空間での色差が最小となるＹＭＣＫの色空間のＧａｍｕｔ外郭上にマッピングされる（図３参照、図３は、図２の第３象限の拡大図）。
【００２１】
このマッピングにより、色差は最小となるものの、変換後のＹＭＣＫ色空間では、本来混在すべきでない色成分が混在してしまう場合があり、混色の原因となってしまう。
【００２２】
さて、図１に示した画像形成装置では、画像処理部２の後段色変換部６で混色の除去を行うための処理を行う。そこで、後段色変換部６の詳細について説明する。
【００２３】
図４は、後段色変換部６の構成を示すブロック図である。同図に示すように、後段色変換部６は、色変換部６１と色変換パラメータ６２、ＴＲＣ処理部６３−１〜６３−４を具備して構成される。
【００２４】
色変換部６１は、ＤＬＵＴ（Ｄｉｒｅｃｔ  Ｌｏｏｋ  Ｕｐ  Ｔａｂｌｅ）構造となっており、色変換パラメータ６２に基づいてＬａｂ色空間の画像データをＹＭＣＫ色空間の画像データに変換する。
【００２５】
色変換部６１のＤＬＵＴ構造は３次元のもので、図５に示す格子点に入力値であるＬ＊、ａ＊、ｂ＊に対する出力値を記憶している。この格子点は、Ｌ＊、ａ＊、ｂ＊の各値の一定間隔毎に設定されており、入力値（Ｌ＊、ａ＊、ｂ＊の値で示される）が格子点以外を示した場合には、補間した値を用いる。なお、ＤＬＵＴについては、特開平１０−２００７７２号公報等にその詳細が記されているため、ここでは、概略のみの説明とする。
【００２６】
また、ＴＲＣ処理部６３−１〜６３−４は、それぞれ、Ｙ、Ｍ、Ｃ、Ｋの各色成分に対してＴＲＣ（Ｔｏｎｅ  Ｒｅｐｒｏｄｕｃｔｉｏｎ  Ｃｕｒｖｅ：トーン再現曲線）を用いて補正を施す。なお、ＴＲＣ処理部６３−１〜６３−４での処理は、従来から行われている処理と同様であるので説明は省略する。
【００２７】
色変換部６１は、Ｌａｂ色空間の画像データをＹＭＣＫ色空間に変換するが、その際に混色の除去を行う。ここでは、まず、混色除去の概念的な方法について説明する。
【００２８】
図６は、混色除去の概念的な方法を示した図である。同図に示すように、混色除去は、混色除去前のＹ、Ｍ、Ｃ、Ｋの各色成分の量（値）を入力とした場合に（図中横軸）、混色除去後の各色成分の値が出力（図中縦軸）となるような処理を行う。
【００２９】
つまり、各色成分毎に所定量以下のものを除去する。同図では、各色成分のうち、その量（８ビットの値）が「ＳＴＡＲＴ」以下の場合には、当該成分を完全に除去し、「ＳＴＡＲＴ」を越えて「ＥＮＤ」以下の場合には、一定の割合で当該成分を減少させる。
【００３０】
「ＳＴＡＲＴ」と「ＥＮＤ」の値は、処理対象となる色成分の彩度に基づいて、例えば、図７に示すように決定される。色成分の彩度は、これをｃ＊とすれば、Ｌａｂ色空間でのａ＊およびｂ＊の値から式１で算出される。
【００３１】
ｃ＊＝√（ａ＊２＋ｂ＊２）  …（式１）
【００３２】
図７に示した「ＳＴＡＲＴ」と「ＥＮＤ」の値は、彩度（ｃ＊）が低い場合には、「ＳＴＡＲＴ」と「ＥＮＤ」の値をともに０に設定し、彩度が高くなるにつれ、「ＳＴＡＲＴ」と「ＥＮＤ」の値を大きくしている。つまり、彩度が低い場合には、混色除去のための処理を行わず、比較的彩度が高い場合にのみ混色除去のための処理を行っている。
【００３３】
これは、混色の原因が、上述したようにＹＭＣＫの色空間へのマッピングにあるためで、混色が図２に示したトナーＧａｍｕｔ（ＹＭＣＫの色空間のＧａｍｕｔ）の外郭上に生じやすいからである。彩度ｃ＊は、式１から明らかなように、図２における原点からの距離でもあり、比較的彩度の高い色成分に混色が生じ易いことが図２からも明らかであろう。
【００３４】
なお、図７では、ｃ＊の値の１０毎に「ＳＴＡＲＴ」と「ＥＮＤ」の値を設定しているが、ｃ＊が設定した値の間となった場合には、「ＳＴＡＲＴ」と「ＥＮＤ」の値は、補間により決定される。もちろん、さらに狭い間隔で「ＳＴＡＲＴ」と「ＥＮＤ」の値を設定するようにしてもよい。
【００３５】
次に、混色除去後の色成分補正について説明する。上記の混色除去では、Ｙ、Ｍ、Ｃ、Ｋの各色成分における所定の値以下を０に設定することで混色を除去した単色での再現を行っているが、この混色除去で行った値の０設定によって本来の入力画像色と混色除去後の画像色との間でずれが発生し、彩度低下や色変わりが発生してしまうこともある。
【００３６】
そこで、本実施形態では、混色除去後の色成分で除去されずに残ったものに対する少なくとも一部に補正を加えることで、混色除去後の画像色と入力画像色との相違を解消するようにしている。すなわち、図８の概念図に示すように、Ｌ＊、ａ＊、ｂ＊各色成分からＹ、Ｍ、Ｃ、Ｋ各色成分への変換および上記説明した混色除去によるＹ、Ｍ、Ｃ、Ｋいずれか単色での値生成を行った後、単色で示される色成分（混色除去されずに残った色成分のうち一つ）を補正して、対応するＬ＊、ａ＊、ｂ＊色成分に最も近くなるようにする。
【００３７】
例えば、（Ｌ＊，ａ＊，ｂ＊）＝（９５，８０，４０）で表現される画像は（Ｙ，Ｍ，Ｃ，Ｋ）＝（５．０７，０．００，５０．７８，０．００）に変換された後、混色除去で（Ｙ，Ｍ，Ｃ，Ｋ）＝（０．００，０．００，５０．７８，０．００）に変換される。その後、単色で示されるＣの値（５０．７８）について、（Ｌ＊，ａ＊，ｂ＊）＝（９５，８０，４０）の示す色と近くなるよう補正を加えてＣ＝（４９．０２）にし、最終的に混色除去および補正を施した（Ｙ，Ｍ，Ｃ，Ｋ）＝（０．００，０．００，４９．０２，０．００）の単色を生成することになる。
【００３８】
このような色成分補正によって、混色除去の際に発生した彩度低下や色変わりを修正でき、混色除去前の画像色と同じもしくは近似した単色画像を生成できるようになる。
【００３９】
次に、混色除去・色成分補正処理の具体的な例について説明するが、ここでは、混色除去・色成分補正処理例として２通りのものを説明する。
【００４０】
混色除去・色成分補正処理の１例目は、色変換部６１で色変換処理後に混色除去および色成分補正を行う場合の例である。図９は、混色除去・色成分補正処理例１における後段色変換部６の機能的な構成を示したブロック図である。ただし、同図中では、ＴＲＣ処理部６３−１〜６３−４に相当する構成を省略している。
【００４１】
同図に示すように、混色除去・色成分補正処理例１では、後段色変換部６は、色変換ＤＬＵＴ６１−１と混色除去色成分補正部６１−２、色変換パラメータ６２−１、色変換パラメータ６２−２、セレクタ６４を具備して構成される。
【００４２】
色変換ＤＬＵＴ６１−１は、Ｌａｂ色空間のＬ＊、ａ＊、ｂ＊の各成分を入力値とし、色変換パラメータ６２−１に基づいてＹＭＣＫ色空間のＹ、Ｍ、Ｃ、Ｋの各成分を出力する。色変換パラメータ６２−１は、Ｌａｂ色空間をＹＭＣＫ色空間に変換するためのパラメータであり、従来と同様のパラメータである。
【００４３】
混色除去色成分補正部６１−２は、ＹＭＣＫ色空間のＹ、Ｍ、Ｃ、Ｋの各成分を入力値とし、色変換パラメータ６２−２および色変換ＤＬＵＴ６１−１への入力前のａ＊、ｂ＊成分に基づいて、混色を除去および色成分補正したＹ、Ｍ、Ｃ、Ｋの各成分を出力する。
【００４４】
色変換パラメータ６２−２は、彩度に応じて設定された混色除去を行うためのパラメータであり、上述したように比較的彩度の高い色から低量の成分を除去するためのパラメータである。そして、混色除去色成分補正部６１−２は、ａ＊、ｂ＊成分に基づいて算出した彩度（ｃ＊）に基づいて色変換パラメータ６２−２により混色除去を行うとともに、混色除去後の色成分について所定の補正を行う。
【００４５】
セレクタ６４は、色変換ＤＬＵＴ６１−１から出力されたＹ、Ｍ、Ｃ、Ｋの各成分と、混色除去色成分補正部６１−２から出力されたＹ、Ｍ、Ｃ、Ｋの各成分のいずれかを選択して出力するための構成である。
【００４６】
混色除去色成分補正部６１−２で実行される混色除去は、処理対象となる画像データが文字や図形等のように単色で表現されることが望ましいものの場合には効果的な処理であるが、画像データが写真等のような場合には、その再現性が低下してしまうこととなる。このため、画像形成装置が「文字モード」や「文字写真モード」で動作する場合には、混色除去・色成分補正処理の結果を出力し、「写真モード」で動作する場合には、混色除去・色成分補正処理を行わないものを出力する。
【００４７】
なお、セレクタ６４は、必ずしも必要な要素ではなく、画像形成装置が「写真モード」で動作する際には、セレクタ６４を用いる代わりに混色除去色成分補正部６１−２に入力値をそのまま出力するように動作させればよい。
【００４８】
次に、混色除去・色成分補正処理の２例目について説明する。混色除去・色成分補正処理例２は、色変換部６１で色変換処理と同時に混色除去および色成分補正を行う場合の例である。図１０は、混色除去・色成分補正処理例１における後段色変換部６の機能的な構成を示したブロック図である。ただし、同図中では、ＴＲＣ処理部６３−１〜６３−４に相当する構成を省略している。
【００４９】
同図に示すように、混色除去・色成分補正処理例２では、後段色変換部６は、色変換ＤＬＵＴ６１−３と色変換パラメータ６２−３、色変換パラメータ６２−４を具備して構成される。
【００５０】
色変換ＤＬＵＴ６１−３は、Ｌａｂ色空間のＬ＊、ａ＊、ｂ＊の各成分を入力値とし、色変換パラメータ６２−３若しくは色変換パラメータ６２−４に基づいてＹＭＣＫ色空間のＹ、Ｍ、Ｃ、Ｋの各成分を出力する。
【００５１】
色変換パラメータ６２−３は、Ｌａｂ色空間をＹＭＣＫ色空間に変換すると同時に混色除去および色成分補正するためのパラメータであり、上述の色変換パラメータ６２−１と色変換パラメータ６２−２を併せたパラメータと同様である。この色変換パラメータ６２−３は、画像形成装置が「文字モード」や「文字写真モード」で動作する際に用いられる。
【００５２】
一方、色変換パラメータ６２−４は、Ｌａｂ色空間をＹＭＣＫ色空間に変換するためのパラメータであり、従来と同様のパラメータである。この色変換パラメータ６２−４は、画像形成装置が「写真モード」で動作する際に用いられる。
【００５３】
ここで、色変換パラメータ６２について説明する。図１１は、色変換パラメータ６２を説明するための図である。
【００５４】
まず、色変換パラメータ６２−１と色変換パラメータ６２−４について説明する。これらのパラメータは、Ｌａｂ色空間をＹＭＣＫ色空間に変換するためのもので、図中の矢印１００で示すように、Ｌ＊ａ＊ｂ＊データが入力された際にＹＭＣＫ変換変換データを出力する構成となっている。
【００５５】
また、色変換パラメータ６２−２は、混色除去および色成分補正を行うためのもので、図中の矢印１０１で示すように、ＹＭＣＫ変換データが入力された際にＹＭＣＫ混色防止変換データを出力する構成となっている。また、色変換パラメータ６２−２は、ＹＭＣＫ変換データとＹＭＣＫ混色防止変換データの両者を彩度（ｃ＊）に関連付けて管理している。
【００５６】
色変換パラメータ６２−３は、Ｌａｂ色空間をＹＭＣＫ色空間に変換すると同時に混色除去および色成分補正するためのもので、図中の矢印１０２で示すように、Ｌ＊ａ＊ｂ＊データが入力された際にＹＭＣＫ混色防止変換データを出力する構成となっている。この色変換パラメータ６２−３は、特に、彩度と関連付けて管理する必要はないが、これは、入力値であるａ＊成分とｂ＊成分により彩度が一意となるからである。
【００５７】
上記説明した混色除去および色成分補正は画像処理プログラムとして実現することも可能である。すなわち、画像処理プログラムは、Ｌ＊ａ＊ｂ＊データ（第１の色空間）で表現される画像を所定の色情報源（プリンタモデル）に基づきＹＭＣＫデータ（第２の色空間）で表現される第１の画像に変換するステップと、ＹＭＣＫデータで表現される第１の画像の色成分のうち所定量以下の色成分の少なくとも一部を除去することで混色を除去したＹＭＣＫデータで表現される第２の画像を生成するステップと、このＹＭＣＫデータで表現される第２の画像のうち除去されなかった色成分の少なくとも一部を補正してＹＭＣＫデータで表現される第３の画像を生成するステップとを備えるものである。
【００５８】
また、画像処理プログラムは、上記ＹＭＣＫデータで表現される第３の画像を生成するステップにおいて、Ｌ＊ａ＊ｂ＊データで表現される画像の色に最も近く、ＹＭＣＫのうちいずれか一つ（単色）で再現できる値にする。
【００５９】
この補正（ＹＭＣＫデータで表現される第３の画像の生成）において、Ｌ＊ａ＊ｂ＊データで表現される画像の色に最も近い値を生成するには、混色除去されたＹＭＣＫデータで表現される第２の画像のうち値を持ったデータ（単色の値）を所定のレンジで振る処理（プログラム処理）を実行し、その中でＬ＊ａ＊ｂ＊データで表現される画像の色に最も近い値を見つけ出すようにする。
【００６０】
この画像処理プログラムは、画像処理装置の後段色変換部６（図１参照）に実装されても、また後段色変換部６の色変換部６１（ＤＬＵＴ）を構成するためのツールとして適用されてもよい。
【００６１】
最後に、この発明を適用して原稿の複写を行った場合の結果例について、簡単に説明する。原稿が図１４に示すようなＲ、Ｋ、Ｙ、Ｃ、Ｍ、Ｇ、Ｂの各色で表現される円グラフが印刷されたものである場合、複写後の出力は、「写真モード」により混色除去を行わなかった場合に図１２（ａ）に示すような値となり、「文字モード」若しくは「文字写真モード」により混色除去を行った場合には、同図（ｂ）に示すような出力となる。これにより、混色除去を行った場合には、低量の色成分が除去され、高品質な出力となる。
【００６２】
【発明の効果】
以上説明したように、この発明によれば、処理対象の画像データの彩度に応じて除去する色成分を設定し、特に、比較的高彩度の画像データに対して低量の色成分を除去するように構成したので文字や図形等のように単色で表現されることが望ましい画像に混色を生じさせることなく、また入力画像色に近い高品質の単色出力を得ることが可能となる。
【図面の簡単な説明】
【図１】この発明を適用した画像形成装置の概略構成を示すブロック図である。
【図２】各色空間のＧａｍｕｔを示した図である。
【図３】図２における第３象限部分を拡大した図である。
【図４】後段色変換部の構成を示すブロック図である。
【図５】ＤＬＵＴ構造例を示した図である。
【図６】混色除去の概念的な方法を示した図である。
【図７】色成分の彩度に基づいて決定される色成分の除去量の設定例を示した図である。
【図８】色成分補正処理を説明する概念図である。
【図９】混色除去・色成分補正処理例１における後段色変換部の機能的な構成を示したブロック図である。
【図１０】混色除去・色成分処理例１における後段色変換部の機能的な構成を示したブロック図である。
【図１１】色変換パラメータを説明するための図である。
【図１２】混色除去前の出力および混色除去後の出力の例を示した図である。
【図１３】減法混色による色再現を説明するための図である。
【図１４】複写対象の原稿例を示した図である。
【図１５】理想的な出力および現状の出力の例を示した図である。
【符号の説明】
１…画像入力装置、２…画像処理装置、３…画像出力装置、４…前段色変換部、５…画像処理部、６…後段色変換部、６１…色変換部、６１−１…色変換ＤＬＵＴ、６１−２…混色除去色成分補正部、６１−３…色変換ＤＬＵＴ、６２，６２−１，６２−２，６２−３，６２−４…色変換パラメータ、６３−１，６３−２，６３−３，６３−４…ＴＲＣ処理部、６４…セレクタ、１００，１０１，１０２…矢印
【図１】
2004289201.tif 000003
【図２】
2004289201.tif 000004
【図３】
2004289201.tif 000005
【図４】
2004289201.tif 000006
【図５】
2004289201.tif 000007
【図６】
2004289201.tif 000008
【図７】
2004289201.tif 000009
【図８】
2004289201.tif 000010
【図９】
2004289201.tif 000011
【図１０】
2004289201.tif 000012
【図１１】
2004289201.tif 000013
【図１２】
2004289201.tif 000014
【図１３】
2004289201.tif 000015
【図１４】
2004289201.tif 000016
【図１５】
2004289201.tif 000017